(57)【特許請求の範囲】
【請求項１】
走行する光テープの情報記録面と直交する回転軸線のまわりで回転する回転光学系（２）を有する光学ヘッド（１）を用い、前記回転光学系（２）から光テープ（６）の情報記録面に向けて集束する光ビームを投射して光テープ（６）の情報記録面に光スポットを形成し、回転光学系（２）の回転移動により光スポットを回転移動させ、回転移動する光スポットにより情報記録面を走査して情報を記録再生する光記録再生方法において、
前記光テープ（６）は、記録すべき情報が記録される情報記録領域（１２）と、光テープ走行方向に見て一端側に形成され、トラッキング情報が形成されている位置制御領域（１１）とを有し、
前記回転光学系（２）が１回転する期間中に、光テープの情報記録面に光スポットが形成され、当該光スポットにより情報記録面を走査する１つの走査期間と、当該走査期間に続き、光ビームが情報記録面から離れ情報記録面に光スポットが形成されない１つの空白期間とが形成され、
前記走査期間中において、光スポットは、初めに情報記録領域（１２）を走査してフォーカシング制御だけを行い、次に位置制御領域（１１）を走査してトラッキング制御及びフォーカシング制御を行い、再び情報記録領域を走査することにより当該情報記録領域に情報を記録し又は記録された情報を再生することを特徴とする光記録再生方法。
【発明の詳細な説明】
【０００１】
【産業上の利用分野】
本発明は、光学ヘッドを用いて光記録媒体に情報を記録（光記録）し、また、該記録された記録済光記録媒体から光学ヘッドを用いて情報を再生（光再生）する方法に関するものである。なお、以下においては、光記録媒体としてテープ状光記録媒体（光テープ）を用いる場合に限って説明してあるが、原理上、本発明はその他カードなど各種光記録媒体を用いる光記録方法、光再生方法を含むものである。
【０００２】
【従来の技術】
図５に、“Ａ  ｒｅｃｏｒｄｉｎｇ  ｅｘｐｅｒｉｍｅｎｔ  ｗｉｔｈ  ｒｏｔａｔｉｎｇ  ｏｐｔｉｃａｌ  ｈｅａｄ  ｆｏｒ  ｍａｇｎｅｔｏ−ｏｐｔｉｃａｌ  ｔａｐｅ  ｒｅｃｏｒｄｉｎｇ  ｓｙｓｔｅｍ”  Ｈａｒｕｋｉ  Ｔｏｋｕｍａｒｕ，  Ｋｉｙｏｔａｋａ  Ａｒａｉ，  Ｓｈｉｎ−ｉｃｈｉ  Ｙｏｓｈｉｍｕｒａ，  Ｈｉｄｅｏ  Ｏｓｈｉｍａ，  ＩＳＯＭ／ＯＤＳ  ’９３  ＣＯＮＦＥＲＥＮＣＥ  ＤＩＧＥＳＴ，  ｐ．１６６に発表された光記録再生装置の要部を示す。この装置においては、光学ヘッド（回転ドラム）１の回転光学系２が回転し、光テープ６が直進することにより、対物レンズ３からの光スポット４によって光テープ６上に円弧状のトラック５を形成し、情報の記録再生を行っている。
【０００３】
また、図６に、“Ａ  Ｎｅｗ  Ｔｒａｃｋｉｎｇ  Ｍｅｔｈｏｄ  ｆｏｒ  Ｈｅｌｉｃａｌ  Ｓｃａｎｎｉｎｇ  Ｏｐｔｉｃａｌ  Ｔａｐｅ  Ｒｅｃｏｒｄｅｒ”  Ｔａｔｓｕｙａ  Ｎａｒａｈａｒａ，  Ｙｏｓｈｉｔｅｒｕ  Ｋａｍａｔａｎｉ，  Ｔａｋａｓｈｉ  Ｎａｋａｏ，  Ｓａｔｏｓｈｉ      Ｋｕｍａｉ，  Ｔａｄａｓｈｉ  Ｏｚｕｅ，  ＩＳＯＭ／ＯＤＳ  ’９３  ＣＯＮＦＥＲＥＮＣＥ  ＤＩＧＥＳＴ，  ｐ．１５９に発表された光記録再生装置の要部を示す。この装置においては、回転ドラム７に内蔵された対物レンズ３を含む光学系８からの光スポット４によって、ＶＴＲ（Ｖｉｄｅｏ  Ｔａｐｅ  Ｒｅｃｏｒｄｅｒ）と同様、光テープ６上に傾斜した直線状のトラック９を形成し、情報の記録再生を行っている。
【０００４】
【発明が解決しようとする課題】
これら図５および図６に示す光記録再生装置のいずれの場合も、対物レンズ３により集光された光スポット４は常に光テープ６上にあるのではなく、光テープ６から離れる時間があるため、信号再生時に再生用光スポット４の位置制御（後述するように、フォーカス制御、トラッキング制御などを含む）を行うための誤差信号は不連続になる。このような場合、誤差信号が得られない状態から得られる状態に入ったからと言って、直ちに制御系が正しい制御状態（定常状態）に入るものでない。
【０００５】
図１はたとえば光再生装置に使用する光スポットの位置制御系の動作を示す線図であり、光記録媒体に記録された信号を再生するに際し、時刻０に誤差信号が得られ、制御系が制御を開始してもすぐには定常状態に移行せず、有限の整定時間ｔｓ  を経て後定常状態となることを示している。このように、図５および図６に示す従来の光記録再生装置によって記録情報を再生する場合、光テープ６（図５、図６参照）の走査開始端に近い部分では、制御系が制御を開始した直後で未だ整定時間ｔｓ  を経過していないため、例えばフォーカス制御、トラッキング制御などの光スポット４の位置制御が定常状態になっておらず、記録情報の再生が安定に行えないという問題が生ずる。
【０００６】
本発明の目的はこのような問題を解決するために、光記録媒体に情報を記録再生するに際して、光スポットの位置制御が定常状態に達するまでの整定期間を別途設けてなる光記録方法および光再生方法を提供し、これにより安定した情報の記録再生ができるようにしたものである。
【０００７】
【課題を解決するための手段】
上記目的を達成するため、本発明光記録再生方法は、走行する光テープの情報記録面と直交する回転軸線のまわりで回転する回転光学系（２）を有する光学ヘッド（１）を用い、前記回転光学系（２）から光テープ（６）の情報記録面に向けて集束する光ビームを投射して光テープ（６）の情報記録面に光スポットを形成し、回転光学系（２）の回転移動により光スポットを回転移動させ、回転移動する光スポットにより情報記録面を走査して情報を記録再生する光記録再生方法において、
前記光テープ（６）は、記録すべき情報が記録される情報記録領域（１２）と、光テープ走行方向に見て一端側に形成され、トラッキング情報が形成されている位置制御領域（１１）とを有し、
前記回転光学系（２）が１回転する期間中に、光テープの情報記録面に光スポットが形成され、当該光スポットにより情報記録面を走査する１つの走査期間と、当該走査期間に続き、光ビームが情報記録面から離れ情報記録面に光スポットが形成されない１つの空白期間とが形成され、
前記走査期間中において、光スポットは、初めに情報記録領域（１２）を走査してフォーカシング制御だけを行い、次に位置制御領域（１１）を走査してトラッキング制御及びフォーカシング制御を行い、再び情報記録領域を走査することにより当該情報記録領域に情報を記録し又は記録された情報を再生することを特徴とするものである。
【０００８】
また、本発明記録装置は、光記録媒体上を光スポットにより走査して情報の記録を行う回転光学系を有する光学ヘッドと、光スポットの走査開始直後の光記録媒体部分に設けられた光スポットの位置制御用領域に光スポットの位置制御用信号のみを記録する信号記録手段とを備えてなることを特徴とするものである。
【０００９】
また、本発明再生装置は、光記録媒体上のトラックを光スポットにより走査して情報の再生を行う回転光学系を有する光学ヘッドと、トラックの走査開始直後の期間は光記録媒体上の光スポットの位置制御用信号により光スポットの位置制御を整定する光スポットの位置制御手段とを備えてなることを特徴とするものである。
【００１０】
【実施例】
以下に添付図面を参照し実施例により本発明を詳細に説明する。
前述したように、本発明では、情報の記録再生のための光スポットの位置制御が定常状態に達してから画像信号など本来の情報の記録再生を行えばよいようにするために、特に本発明光記録再生方法では、記録再生時の光学ヘッドからの光スポット位置制御が定常状態に達しない光記録媒体の走査開始端部のトラックには情報を記録再生しないようにしている。
【００１１】
図２，図３は本発明を説明するための参考例を示し、それぞれ図５，図６に示す従来の光記録再生装置によって記録された光テープ６に関し、光テープ６上にトラック５，９は形成されるが本来の情報の記録が行われていない領域と、本来の情報の記録が行われている領域とに分けて、それら領域をそれぞれ領域１１および１２として示している。
【００１２】
図２において、トラック５を形成する光スポットは光学ヘッドの回転光学系の回転により、点１３において光テープ６上に到達し、トラック５上の点１４、点１５を経て光テープ６上から離れるという走査を繰り返す。領域１１は、信号の記録再生時に光スポット位置制御が定常状態に達するまでに光スポットが光テープ６上を走査する領域で、かつ本来の情報が記録されていない領域である。また領域１２は本来の情報が記録されている領域である。
【００１３】
また図３において、トラック９を形成する光スポットは光学系を内蔵する回転ドラムの回転により、点１３において光テープ６上に到達し、トラック９上の点１４、点１５を経て光テープを離れる走査を繰り返す。この場合にも領域１１は、信号の記録再生時に光スポット位置制御が定常状態に達するまでに光スポットが光テープ６上を走査する領域で、かつ本来の情報が記録されていない領域である。また領域１２は本来の情報が記録されている領域である。
【００１４】
ここで、本来の情報が記録されていない領域１１内のトラック５，９のトラック長ＩＳ  は、光学ヘッド（回転ドラム）の回転部の線速度が光テープの走行速度に比較して充分大きいことを考慮すると、次式で表される。
ｔｓ  ≦Ｉｓ  ／ｖｌ  
ただし
ｔｓ  ：光スポット位置制御系の整定時間
Ｉｓ  ：点１３から点１４までのトラック長
ｖｌ  ：光学ヘッド回転部の線速度
領域１１の部分は本来の情報が記録されていない部分であるから、この部分の占める面積は狭い方が好ましく、そのためには、上記点１３から点１４までのトラック長Ｉｓ  が短ければ短い程よい。これは言い換えると光スポットの位置制御を行う制御系の整定時間ｔｓ  が短い程よいということである。
【００１５】
図５に示す従来の光記録再生装置を用いて本発明による情報の記録再生を行う場合で、光スポット位置制御系の整定時間が、特にフォーカス制御が支配的であるときには、図２に示す本来の情報の記録に寄与しない領域１１の部分をより小さくすることができる。
【００１６】
図４はこのようにした本発明の第３の実施例を示していて、トラック５上の制御系の整定時間に相当する点１３から点１４までのトラック長Ｉｓ  を長くしているが、領域１１は狭くできることが分かる。回転光学ヘッドによるこのような走査によって光スポットが光テープ上にあり、点１３から点１４までを走査している期間は本来の情報の記録再生は行わず、光スポットの位置制御の整定のみを行い、点１４を通過して点１５に至るまでの期間に本来の情報の記録再生を行う。このような走査を行うことにより、記録再生時に光スポットが光テープ上に存在する時間が長くなるためフォーカス制御に時間がかかって整定時間の長くなる制御系に対しても、とくに領域１１を広げることなく情報の記録再生を行うことができる。
【００１７】
一般に、光記録では、記録媒体上に焦点を合わせた（フォーカス）後に、記録トラック上を光スポットを走査させる（トラッキング）ことにより光スポットの制御を行う。したがって、領域１１の中で記録再生領域である１２に接近した領域にトラッキングのための制御信号を形成する。領域１１はトラッキング制御信号の他に記録媒体の位置を示すアドレス信号、記録媒体の高精度な走行のための制御信号や各種情報の記録領域として使用し、記録媒体としてむだのないようにする事が可能である。
【００１８】
以上説明した本発明光記録方法および光再生方法は追記型、書替型の両方の光テープに対して適用させることができる。また本発明は、従来例として示した図５，図６の光テープを用いる光記録再生装置に対してのみならず、光学ヘッドの走査中に光スポットが光記録媒体上を離れる期間のある走査方式を用いた、例えば光カードなどを利用する光記録再生装置に対しても本発明方法を適用させることができる。
【００１９】
【発明の効果】
本発明によれば、情報の記録再生時において、光記録媒体の本来の情報が記録されている領域に記録再生用光スポットが到達する前に光スポット位置制御系の整定動作が完了し定常状態に入るため、正確な記録情報の記録再生が可能となる。
【図面の簡単な説明】
【図１】光再生装置に使用する光スポットの位置制御系の動作を示す線図である。
【図２】本発明の参考例を示す線図である。
【図３】本発明の参考例を示す線図である。
【図４】本発明の実施例を示す線図である。
【図５】従来の光記録再生装置の要部を示す線図である。
【図６】従来の他の光記録再生装置の要部を示す線図である。
【図１】
0003585943.tif 000002
【図２】
0003585943.tif 000003
【図３】
0003585943.tif 000004
【図４】
0003585943.tif 000005
【図５】
0003585943.tif 000006
【図６】
0003585943.tif 000007